(57)【特許請求の範囲】
【請求項１】
反射性と透過性とを有するシート状基材に該シート状基材を挟んで重なる表側画像と裏側画像を備えた反射光・透過光用画像シートであって、
前記裏側画像は、前記表側画像を表裏反転した内容でシート状基材を挟んで前記表側画像に重なるものであり、
前記裏側画像の濃度分布を、前記表側画像の濃度分布中における設定濃度を超える高濃度部分を前記設定濃度又はそれに近い濃度に低減して透過光による使用態様でコントラストが強くなるのを抑止できる濃度分布にしてある反射光・透過光用画像シート。
【請求項２】
前記設定濃度を複数の設定色区分毎に設定するとともに、前記裏側画像の濃度分布を、前記表側画像の設定色区分毎の濃度分布中における設定色区分毎の各設定濃度を超える各高濃度部分を設定色区分毎の各設定濃度又はそれに近い濃度に低減して透過光による使用態様でコントラストが強くなるのを抑止できる濃度分布にしてある請求項１記載の反射光・透過光用画像シート。
【請求項３】
反射性と透過性とを有するシート状基材の表側に表側画像をプリントするとともに、該シート状基材の裏側に前記表側画像を表裏反転した内容の裏側画像を表側画像に重なる状態でプリントすることで、シート状基材を挟んで重なる表裏の画像を備えた反射光・透過光用画像シートを形成する反射光・透過光用画像シートの形成方法であって、
前記シート状基材の裏側に前記裏側画像をプリントするのに、その裏側画像の濃度分布を、前記表側画像の濃度分布中における設定濃度を超える高濃度部分を設定濃度又はそれに近い濃度に置換して透過光による使用態様でコントラストが強くなるのを抑止できる濃度分布にする反射光・透過光用画像シートの形成方法。
【請求項４】
前記裏側画像の濃度分布を、前記表側画像の濃度分布中における設定濃度を超える高濃度部分を設定濃度又はそれに近い濃度に置換し、且つ、表側画像の濃度分布中における高濃度部分以外の部分は表側画像と同一濃度にしたものにする請求項３記載の反射光・透過光用画像シートの形成方法。
【請求項５】
前記設定濃度を複数の設定色区分毎に設定するとともに、前記裏側画像の濃度分布を、前記表側画像の設定色区分毎の濃度分布中における設定色区分毎の各設定濃度を超える各高濃度部分を設定色区分毎の各設定濃度又はそれに近い濃度に置換して透過光による使用態様でコントラストが強くなるのを抑止できる濃度分布にする請求項３又は４記載の反射光・透過光用画像シートの形成方法。
【請求項６】
前記設定色区分を、色空間の表現色別の色区分にする請求項５記載の反射光・透過光用画像シートの形成方法。
【請求項７】
前記設定色区分を、インク色別の色区分にする請求項５又は６記載の反射光・透過光用画像シートの形成方法。
【請求項８】
前記設定濃度を、前記シート状基材の透過度に応じて変更する請求項３〜７のいずれか１項に記載の反射光・透過光用画像シートの形成方法。
【請求項９】
前記設定濃度を決定するのに、少なくとも前記表側画像の見掛け上の高濃度部分の一箇所又は複数箇所の濃度を濃度計で計測する請求項３〜８のいずれか１項に記載の反射光・透過光用画像シートの形成方法。
【請求項１０】
前記設定濃度を決定するのに、更に、前記表側画像の前記見掛け上の高濃度部分以外の部分の一箇所又は複数箇所の濃度を濃度計で計測する請求項９記載の反射光・透過光用画像シートの形成方法。
【請求項１１】
反射性と透過性とを有するシート状基材に該シート状基材を挟んで重なる表側画像と裏側画像を備えた反射光・透過光用画像シートであって、
前記裏側画像は、前記表側画像を表裏反転した内容でシート状基材を挟んで前記表側画像に重なるものであり、
前記裏側画像の濃度分布を、前記表側画像の濃度分布中の各濃度を設定圧縮率で圧縮した濃度分布にしてある反射光・透過光用画像シート。
【請求項１２】
前記設定圧縮率を複数の設定色区分毎に設定するとともに、前記裏側画像の濃度分布を、前記表側画像の設定色区分毎の濃度分布中の各濃度を設定色区分毎の各設定圧縮率で圧縮した濃度分布にしてある請求項１１記載の反射光・透過光用画像シート。
【請求項１３】
反射性と透過性とを有するシート状基材の表側に表側画像をプリントするとともに、該シート状基材の裏側に前記表側画像を表裏反転した内容の裏側画像を表側画像に重なる状態でプリントすることで、シート状基材を挟んで重なる表裏の画像を備えた反射光・透過光用画像シートを形成する反射光・透過光用画像シートの形成方法であって、
前記シート状基材の裏側に前記裏側画像をプリントするのに、その裏側画像の濃度分布を、前記表側画像の濃度分布中の各濃度を設定圧縮率で圧縮した濃度分布にする反射光・透過光用画像シートの形成方法。
【請求項１４】
前記設定圧縮率を複数の設定色区分毎に設定するとともに、前記裏側画像の濃度分布を、前記表側画像の設定色区分毎の濃度分布中の各濃度を設定色区分毎の各設定圧縮率で圧縮した濃度分布にする請求項１３記載の反射光・透過光用画像シートの形成方法。
【請求項１５】
前記設定色区分を、色空間の表現色別の色区分にする請求項１４記載の反射光・透過光用画像シートの形成方法。
【請求項１６】
前記設定色区分を、インク色別の色区分にする請求項１４又は１５記載の反射光・透過光用画像シートの形成方法。
【請求項１７】
前記設定圧縮率を、前記シート状基材の透過度に応じて変更する請求項１３〜１６のいずれか１項に記載の反射光・透過光用画像シートの形成方法。
【請求項１８】
反射性と透過性とを有するシート状基材に該シート状基材を挟んで重なる表側画像と裏側画像を備えた反射光・透過光用画像シートであって、
前記裏側画像は、前記表側画像を表裏反転した内容でシート状基材を挟んで前記表側画像に重なるものであり、
前記裏側画像の濃度分布を、設定色区分毎の調整基準に基づいて前記表側画像の濃度分布を設定色区分毎に濃度低減側に調整した濃度分布にしてある反射光・透過光用画像シート。
【請求項１９】
反射性と透過性とを有するシート状基材の表側に表側画像をプリントするとともに、該シート状基材の裏側に前記表側画像を表裏反転した内容の裏側画像を表側画像に重なる状態でプリントすることで、シート状基材を挟んで重なる表裏の画像を備えた反射光・透過光用画シートを形成する反射光・透過光用画像シートの形成方法であって、
前記シート状基材の裏側に前記裏側画像をプリントするのに、その裏側画像の濃度分布を、設定色区分毎の調整基準に基づいて前記表側画像の濃度分布を設定色区分毎に濃度低側に調整した濃度分布にする反射光・透過光用画像シートの形成方法。
【請求項２０】
前記設定色区分を、色空間の表現色別の色区分とする請求項１９記載の反射光・透過光用画像シートの形成方法。
【請求項２１】
前記設定色区分を、インク色別の色区分とする請求項１９又は２０記載の反射光・透過光用画像シートの形成方法。
【請求項２２】
前記調整基準を、前記シート状基材の透過度に応じて変更する請求項１９〜２１のいずれか１項に記載の反射光・透過光用画像シートの形成方法。
【発明の詳細な説明】
【技術分野】
【０００１】
本発明は、駅構内やホテルやデパート等に配設されている広告パネル等を形成するための画像シート及び画像シートの形成方法に関し、特に、反射性と透過性を有するシート状基材を挟んで重なる表裏の画像を備えた反射光・透過光用画像シート及び反射光・透過光用画像シートの形成方法に関する。
【背景技術】
【０００２】
この種の画像シートは、反射率と透過度（又は透過率）の両方を一定程度に備えた半透明色や乳白色等のシート状基材を用いることで、夜間では後方からの照明光（バックライト）を透過させて発色させ、且つ、日中では太陽光を反射させて発色させるものであり、日中の反射光と夜間の透過光による発色量の補完として、シート状基材の表側だけでなく裏側にも表側画像を表裏反転した画像を形成している。【０００３】
そして、従来では、シート状基材の表裏に形成される両画像を濃度分布が同一のものにしていた（この従来技術を示す適当な文献がない）。
【発明の概要】
【発明が解決しようとする課題】
【０００４】
ところが、上記従来の画像シートでは、反射光による使用態様において自然で鮮明な画像が映し出されるように画像の濃度分布を決定した場合に、表裏の両画像に対して光が通過する透過光を用いた使用態様においてコントラストが強くなって自然さと鮮明さに欠ける傾向があった。【０００５】
本発明は、上述の実状に鑑みて為されたものであって、その主たる課題は、合理的な改良により、反射光と透過光の両方の使用態様において自然で鮮明な画像を映し出し得る反射光・透光用画像シートを提供すること、並びに、このような反射光・透光用画像シートを効率的に形成し得る反射光・透光用画像シートの形成方法を提供することにある。
【課題を解決するための手段】
【０００６】
本発明の第１特徴構成は、反射性と透過性とを有するシート状基材に該シート状基材を挟んで重なる表側画像と裏側画像を備えた反射光・透過光用画像シートであって、
前記裏側画像は、前記表側画像を表裏反転した内容でシート状基材を挟んで前記表側画像に重なるものであり、
前記裏側画像の濃度分布を、前記表側画像の濃度分布中における設定濃度を超える高濃度部分を前記設定濃度又はそれに近い濃度に低減して透過光による使用態様でコントラストが強くなるのを抑止できる濃度分布にしてある点にある。
【０００７】
上記構成によれば、裏側画像において、透過光による使用態様で発色に与える加算効果が大きく且つ全体のコントラストに与える影響の大きな高濃度部分の濃度を低減してあるから、透過光による使用態様でコントラストが強くなるのを効果的に抑止することができ、これにより、反射光と透過光の両方の使用態様において自然で鮮明な画像を映し出すことが可能になる。【０００８】
しかも、裏側画像の濃度調整としては、表側画像における高濃度部分を設定濃度又はそれに近い濃度に低減するシンプルな調整方法を採るから、裏側画像の濃度調整が容易な製造し易いものにすることができる。【０００９】
本発明の第２特徴構成は、前記設定濃度を複数の設定色区分毎に設定するとともに、前記裏側画像の濃度分布を、前記表側画像の設定色区分毎の濃度分布中における設定色区分毎の各設定濃度を超える各高濃度部分を設定色区分毎の各設定濃度又はそれに近い濃度に低減して透過光による使用態様でコントラストが強くなるのを抑止できる濃度分布にしてある点にある。
【００１０】
つまり、裏側画像において透過光による使用態様で発色に与える加算効果は、明度等の各種の色の要素によって異なることが考えられるが、上記構成によれば、裏側画像の濃度分布を、表側画像における設定色区分毎の高濃度部分を設定色区分毎の設定濃度又はそれに近い濃度に低減した濃度分布にしてあるから、上記の加算効果が所望のものとなるように色区分を適切に設定することで、反射光と透過光の両方の使用態様で一層自然で鮮明な画像を映し出すことが可能になる。【００１１】
本発明の第３特徴構成は、反射性と透過性とを有するシート状基材の表側に表側画像をプリントするとともに、該シート状基材の裏側に前記表側画像を表裏反転した内容の裏側画像を表側画像に重なる状態でプリントすることで、シート状基材を挟んで重なる表裏の画像を備えた反射光・透過光用画像シートを形成する反射光・透過光用画像シートの形成方法であって、
前記シート状基材の裏側に前記裏側画像をプリントするのに、その裏側画像の濃度分布を、前記表側画像の濃度分布中における設定濃度を超える高濃度部分を設定濃度又はそれに近い濃度に置換して透過光による使用態様でコントラストが強くなるのを抑止できる濃度分布にする点にある。
【００１２】
つまり、上記構成によれば、裏側画像において、透過光による使用態様で発色に与える加算効果が大きく且つコントラストに与える影響の大きな高濃度部分の濃度を低減するから、透過光による使用態様でコントラストが強くなるのが効果的に抑止されて、反射光と透過光の両方の使用態様において自然で鮮明な画像を映し出し得る反射光・透過光用画像シートを形成することができる。【００１３】
しかも、裏側画像の濃度調整として、表側画像における高濃度部分を設定濃度又はそれに近い濃度に低減するシンプルな調整方法を採るから、裏側画像の濃度調整を容易に行うことができる。【００１４】
本発明の第４特徴構成は、前記裏側画像の濃度分布を、前記表側画像の濃度分布中における設定濃度を超える高濃度部分を設定濃度又はそれに近い濃度に置換し、且つ、表側画像の濃度分布中における高濃度部分以外の部分は表側画像と同一濃度にしたものにする点にある。【００１５】
上記構成によれば、前記裏側画像の濃度分布を、前記表側画像の濃度分布中における高濃度部分を設定濃度又はそれに近い濃度に置換しただけのもの、換言すれば、表側画像の濃度分布中の高濃度部分だけに処理を加えたものにするから、例えば、前記裏側画像の濃度分布を、表側画像の濃度分布中の高濃度部分に加えて表側画像の濃度分布における高濃度部分以外の部分に対しても処理を加えたものにするのに比べ、裏側画像の濃度調整を更に容易に行うことができる。【００１６】
本発明の第５特徴構成は、前記設定濃度を複数の設定色区分毎に設定するとともに、前記裏側画像の濃度分布を、前記表側画像の設定色区分毎の濃度分布中における設定色区分毎の各設定濃度を超える各高濃度部分を設定色区分毎の各設定濃度又はそれに近い濃度に置換して透過光による使用態様でコントラストが強くなるのを抑止できる濃度分布にする点にある。
【００１７】
つまり、裏側画像において透過光による使用態様で発色に与える加算効果は、明度等の各種の色の要素によって異なることが考えられるが、上記構成によれば、裏側画像の濃度分布を、表側画像における設定色区分毎の高濃度部分を設定色区分毎の設定濃度又はそれに近い濃度に低減した濃度分布にするから、上記の加算効果が所望のものとなるように色区分を適切に設定することで、反射光と透過光の両方の使用態様で一層自然で鮮明な画像を映し出し得る反射光・透過光用画像シートを形成することができる。【００１８】
本発明の第６特徴構成は、前記設定色区分を、色空間の表現色別の色区分にする点にある。【００１９】
つまり、画像処理装置（例えば、パーソナルコンピュータ）や印刷装置などの色を扱う装置では、色を色空間（例えば、ＣＭＹＫ色空間やＲＧＢ色空間）で識別する処理方式が採られているが、上記構成によれば、前記設定区分を色空間の表現色別の色区分にするから、画像処理装置や印刷装置などの色を扱う装置の処理方式を活用して裏側画像の濃度調整処理を該装置に行わせることが可能になる。【００２０】
従って、設定色区分毎に濃度を低減させる方式を採りながらも、裏側画像の濃度調整を容易に行うことができる。【００２１】
本発明の第７特徴構成は、前記設定色区分を、インク色別の色区分にする点にある。【００２２】
つまり、インクジェットプリンタやカラープリンタ等の印刷装置では、複数のインク色を用いて画像を印刷するため、印刷時点ではインク色別の濃度が決定されている。これに対し、上記構成によれば、前記設定色区分をインク色別の色区分にするから、複数のインク色に跨る状態で色区分を設定する場合に比べ、印刷装置での裏側画像の濃度調整処理を単純化することができる。【００２３】
従って、設定色区分毎に濃度を低減させる方式を採りながらも、裏側画像の濃度調整を容易に行うことができる。なお、この設定色区分は、色空間の表現色別且つインク色別であるＣＭＹＫ各色別の色区分とするのが特に好ましい。【００２４】
本発明の第８特徴構成は、前記設定濃度を、前記シート状基材の透過度に応じて変更する点にある。【００２５】
つまり、前記シート状基材の透過度によって透過光による使用態様で裏側画像の発色に与える加算効果が不測に変化することが考えられるが、上記構成によれば、前記設定濃度を前記シート状基材の透過度に応じて変更するから、シート状基材の透過度によって前記加算効果が不測に変化するのを抑止することができる。【００２６】
従って、シート状基材の透過度に拘わらず、反射光と透過光の両方の使用態様において自然で鮮明な画像を映し出し得る反射光・透過光用画像シートを形成することができる。【００２７】
本発明の第９特徴構成は、前記設定濃度を決定するのに、少なくとも前記表側画像の見掛け上の高濃度部分の一箇所又は複数箇所の濃度を濃度計で計測する点にある。【００２８】
上記構成によれば、前記裏側画像において濃度調整が必要となる表側画像の高濃度部分に近い見掛け上の高濃度部分の実濃度をサンプル的に得ることができるから、例えば、表側画像の出力用の画像データから全箇所の濃度データ値を得るなどに比べ、実情に即した確実な情報を容易に得ることができ、これにより、前記設定濃度を実情に即したものにすることが可能になる。【００２９】
本発明の第１０特徴構成は、前記設定濃度を決定するのに、更に、前記表側画像の高濃度部分以外の部分の一箇所又は複数箇所の濃度を濃度計で計測する点にある。【００３０】
上記構成によれば、前記表側画像の高濃度部分以外の部分の実濃度をサンプル的に得ることができるから、表側画像の実際のコントラストを考慮に入れることができ、これにより、前記設定濃度を一層実情に即したものにすることが可能になる。【００３１】
本発明の第１１特徴構成は、反射性と透過性とを有するシート状基材に該シート状基材を挟んで重なる表側画像と裏側画像を備えた反射光・透過光用画像シートであって、
前記裏側画像は、前記表側画像を表裏反転した内容でシート状基材を挟んで前記表側画像に重なるものであり、
前記裏側画像の濃度分布を、前記表側画像の濃度分布中の各濃度を設定圧縮率で圧縮した濃度分布にしてある点にある。
【００３２】
つまり、上記構成によれば、前記裏側画像の濃度分布を、前記表側画像の濃度分布中の各濃度を設定圧縮率で圧縮した濃度分布、換言すれば、表側画像の濃度分布を前記設定圧縮率で濃度低減側に圧縮した濃度分布にしてある。【００３３】
すなわち、裏側画像の濃度分布を、透過光による使用態様で発色に与える加算効果が大きく且つ全体のコントラストに与える影響の大きな高濃度側ほど低減量を大きくする形態で表側画像の濃度分布を低減したものにしてあるから、透過光による使用態様でコントラストが強くなるのを効果的に抑止することができ、これにより、反射光と透過光の両方の使用態様において自然で鮮明な画像を映し出すことが可能になる。【００３４】
しかも、裏側画像の濃度調整としては、表側画像の濃度分布を前記設定圧縮率で濃度低減側に一律に圧縮するシンプルな調整方法を採るから、裏側画像の濃度調整が容易な製造し易いものにすることができる。【００３５】
本発明の第１２特徴構成は、前前記設定圧縮率を複数の設定色区分毎に設定するとともに、前記裏側画像の濃度分布を、前記表側画像の設定色区分毎の濃度分布中の各濃度を設定色区分毎の各設定圧縮率で圧縮した濃度分布にしてある点にある。【００３６】
つまり、裏側画像において透過光による使用態様で発色に与える加算効果は、明度等の各種の色の要素によって異なることが考えられるが、上記構成によれば、前記裏側画像の濃度分布を、前記表側画像の設定色区分毎の濃度分布中の各濃度を設定色区分毎の各設定圧縮率で圧縮した濃度分布にしてあるから、上記の加算効果が所望のものとなるように色区分を適切に設定することで、反射光と透過光の両方の使用態様で一層自然で鮮明な画像を映し出すことが可能になる。【００３７】
本発明の第１３特徴構成は、反射性と透過性とを有するシート状基材の表側に表側画像をプリントするとともに、該シート状基材の裏側に前記表側画像を表裏反転した内容の裏側画像を表側画像に重なる状態でプリントすることで、シート状基材を挟んで重なる表裏の画像を備えた反射光・透過光用画像シートを形成する反射光・透過光用画像シートの形成方法であって、
前記シート状基材の裏側に前記裏側画像をプリントするのに、その裏側画像の濃度分布を、前記表側画像の濃度分布中の各濃度を設定圧縮率で圧縮した濃度分布にする点にある。
【００３８】
上記構成によれば、前記裏側画像の濃度分布を、前記表側画像の濃度分布中の各濃度を設定圧縮率で圧縮した濃度分布、換言すれば、表側画像の濃度分布を前記設定圧縮率で濃度低減側に圧縮した濃度分布にする。【００３９】
すなわち、裏側画像の濃度分布を、透過光による使用態様で発色に与える加算効果が大きく且つ全体のコントラストに与える影響の大きな高濃度側ほど低減量を大きくする形態で表側画像の濃度分布を低減したものにするから、透過光による使用態様でコントラストが強くなるのを効果的に抑止されて、反射光と透過光の両方の使用態様において自然で鮮明な画像を映し出し得る反射光・透過光用画像シートを形成することができる。【００４０】
しかも、裏側画像の濃度調整としては、表側画像の濃度分布を前記設定圧縮率で濃度低減側に圧縮するシンプルな方法を採るから、裏側画像の濃度調整を容易に行うことができる。【００４１】
本発明の第１４特徴構成は、前記設定圧縮率を複数の設定色区分毎に設定するとともに、前記裏側画像の濃度分布を、前記表側画像の設定色区分毎の濃度分布中の各濃度を設定色区分毎の各設定圧縮率で圧縮した濃度分布にする点にある。【００４２】
つまり、裏側画像において透過光による使用態様で発色に与える加算効果は、明度等の各種の色の要素によって異なることが考えられるが、上記構成によれば、前記裏側画像の濃度分布を、前記表側画像の設定色区分毎の濃度分布中の各濃度を設定色区分毎の各設定圧縮率で圧縮した濃度分布にするから、上記の加算効果が所望のものとなるように色区分を適切に設定することで、反射光と透過光の両方の使用態様で一層自然で鮮明な画像を映し出し得る反射光・透過光用画像シートを形成することができる。【００４３】
本発明の第１５特徴構成は、前記設定色区分を、色空間の表現色別の色区分にする点にある。【００４４】
上記構成によれば、前述した第６特徴構成と同じく、画像処理装置や印刷装置などの色を扱う装置の処理方式を活用して裏側画像の濃度調整処理を該装置に行わせることができる。従って、設定色区分毎に濃度を低減させる方式を採りながらも、裏側画像の濃度調整を容易に行うことができる。【００４５】
本発明の第１６特徴構成は、前記設定色区分を、インク色別の色区分にする点にある。【００４６】
上記構成によれば、前述した第７特徴構成と同じく、複数のインク色に跨る状態で色区分を設定する場合に比べ、印刷装置での裏側画像の濃度調整処理を単純化することができる。従って、設定色区分毎に濃度を低減させる方式を採りながらも、裏側画像の濃度調整を容易に行うことができる。なお、前記設定色区分は、色空間の表現色別且つインク色別であるＣＭＹＫ各色別の色区分とするのが特に好ましい。【００４７】
本発明の第１７特徴構成は、前記設定圧縮率を、前記シート状基材の透過度に応じて変更する点にある。【００４８】
上記構成によれば、前述の第８特徴構成と同じく、シート状基材の透過度によって透過光による使用態様で裏側画像の発色に与える加算効果が不測に変化するのを抑止することができる。従って、シート状基材の透過度に拘わらず、反射光と透過光の両方の使用態様において一層自然で鮮明な画像を映し出し得る反射光・透過光用画像シートを形成することができる。【００４９】
本発明の第１８特徴構成は、反射性と透過性とを有するシート状基材に該シート状基材を挟んで重なる表側画像と裏側画像を備えた反射光・透過光用画像シートであって、
前記裏側画像は、前記表側画像を表裏反転した内容でシート状基材を挟んで前記表側画像に重なるものであり、
前記裏側画像の濃度分布を、設定色区分毎の調整基準に基づいて前記表側画像の濃度分布を設定色区分毎に濃度低減側に調整した濃度分布にしてある点にある。
【００５０】
上記構成によれば、裏側画像の濃度分布を、前記表側画像の濃度分布を濃度低減側に調整した濃度分布にしてあるから、その分、裏側画像の濃度分布を表側画像の濃度分布と同一にする従来技術に比べて、透過光による使用態様でコントラストが強くなるのを効果的に抑止することができ、これにより、反射光と透過光の両方の使用態様において自然で鮮明な画像を映し出すことが可能になる。【００５１】
しかも、上記構成によれば、裏側画像において透過光による使用態様で発色に与える加算効果が明度等の各種の色の要素によって異なることが考えられることに対して、裏側画像の濃度分布を、設定色区分毎の調整基準に基づいて前記表側画像の濃度分布を設定色区分毎に濃度低減側に調整した濃度分布にしてあるから、上記の加算効果が所望のものとなるように色区分を適切に設定することで、反射光と透過光の両方の使用態様で一層自然で鮮明な画像を映し出すことが可能になる。【００５２】
なお、第１８特徴構成の実施において、前記調整基準は、設定濃度を超える高濃度部分を設定濃度又はそれに近い濃度にするもの、濃度分布中の各濃度を設定圧縮率で圧縮するもの、濃度分布中の高濃度側と低濃度側とで異なる圧縮率で圧縮するものなど、各種の調整基準を採ってもよい。【００５３】
本発明の第１９特徴構成は、反射性と透過性とを有するシート状基材の表側に表側画像をプリントするとともに、該シート状基材の裏側に前記表側画像を表裏反転した内容の裏側画像を表側画像に重なる状態でプリントすることで、シート状基材を挟んで重なる表裏の画像を備えた反射光・透過光用画像シートを形成する反射光・透過光用画像シートの形成方法であって、
前記シート状基材の裏側に前記裏側画像をプリントするのに、その裏側画像の濃度分布を、設定色区分毎の調整基準に基づいて前記表側画像の濃度分布を設定色区分毎に濃度低減側に調整した濃度分布にする点にある。
【００５４】
上記構成によれば、裏側画像の濃度分布を、前記表側画像の濃度分布を濃度低減側に調整した濃度分布にしてあるから、その分、裏側画像の濃度分布を表側画像の濃度分布と同一にする従来技術に比べて、透過光による使用態様でコントラストが強くなるのが効果的に抑止されて、反射光と透過光の両方の使用態様において自然で鮮明な画像を映し出し得る反射光・透過光用画像シートを形成することができる。【００５５】
しかも、上記構成によれば、裏側画像において透過光による使用態様で発色に与える加算効果は、明度等の各種の色の要素によって異なることが考えられることに対して、裏側画像の濃度分布を、設定色区分毎の調整基準に基づいて前記表側画像の濃度分布を設定色区分毎に濃度低減側に調整した濃度分布にするから、上記の加算効果が所望のものとなるように色区分を適切に設定することで、反射光と透過光の両方の使用態様で一層自然で鮮明な画像を映し出し得る反射光・透過光用画像シートを形成することができる。【００５６】
なお、第１９特徴構成の実施においても、前記調整基準は、設定濃度を超える高濃度部分を設定濃度又はそれに近い濃度にするもの、濃度分布中の各濃度を設定圧縮率で圧縮するもの、濃度分布中の高濃度側と低濃度側とで異なる圧縮率で圧縮するものなど、各種の調整基準を採ってもよい。【００５７】
本発明の第２０特徴構成は、前記設定色区分を、色空間の表現色別の色区分とする点にある。【００５８】
上記構成によれば、前述した第６、第１５特徴構成と同じく、画像処理装置や印刷装置などの色を扱う装置の処理方式を活用して裏側画像の濃度調整処理を該装置に行わせることができる。従って、設定色区分毎に濃度を低減させる方式を採りながらも、裏側画像の濃度調整を容易に行うことができる。【００５９】
本発明の第２１特徴構成は、前記設定色区分を、インク色別の色区分とする点にある。【００６０】
上記構成によれば、前述した第７、第１６特徴構成と同じく、複数のインク色に跨る状態で色区分を設定する場合に比べ、印刷装置での裏側画像の濃度調整処理を単純化することができる。従って、設定色区分毎に濃度を低減させる方式を採りながらも、裏側画像の濃度調整を容易に行うことができる。なお、前記設定色区分は、色空間の表現色別且つインク色別であるＣＭＹＫ各色別の色区分とするのが特に好ましい。【００６１】
本発明の第２２特徴構成は、前記調整基準を、前記シート状基材の透過度に応じて変更する点にある。【００６２】
上記構成によれば、前述の第８、第１７特徴構成と同じく、シート状基材の透過度によって透過光による使用態様で裏側画像の発色に与える加算効果が不測に変化するのを抑止することができる。従って、シート状基材の透過度に拘わらず、反射光と透過光の両方の使用態様において一層自然で鮮明な画像を映し出し得る反射光・透過光用画像シートを形成することができる。
【図面の簡単な説明】
【００６３】
【図１】画像シートの層構成の一例を模式的に示す断面図
【図２】第１実施形態における表側画像の濃度と裏側画像の濃度の関係を示すグラフ
【図３】（ａ）第１実施形態における表側画像の照度分布を示すグラフ、（ｂ）第１実施形態における裏側画像の照度分布を示すグラフ
【図４】（ａ）表側画像の形成工程を模式的に示す説明図、（ｂ）表側画像の濃度計測工程を模式的に示す説明図、（ｃ）裏側画像の形成工程を模式的に示す説明図
【図５】（ａ）第２実施形態における表側画像の濃度と裏側画像の濃度の関係を示すグラフ（シアン）、（ｂ）第２実施形態における表側画像の濃度と裏側画像の濃度の関係を示すグラフ（マゼンダ）、（ｃ）第２実施形態における表側画像の濃度と裏側画像の濃度の関係を示すグラフ（イエロー）、（ｄ）第２実施形態における表側画像の濃度と裏側画像の濃度の関係を示すグラフ（ブラック）
【図６】（ａ）第２実施形態における表側画像の照度分布を示すグラフ（シアン）、（ｂ）第２実施形態における裏側画像の照度分布を示すグラフ（シアン）
【図７】（ａ）第２実施形態における表側画像の照度分布を示すグラフ（マゼンダ）、（ｂ）第２実施形態における裏側画像の照度分布を示すグラフ（マゼンダ）
【図８】（ａ）第２実施形態における表側画像の照度分布を示すグラフ（イエロー）、（ｂ）第２実施形態における裏側画像の照度分布を示すグラフ（イエロー）
【図９】（ａ）第２実施形態における表側画像の照度分布を示すグラフ（ブラック）、（ｂ）第２実施形態における裏側画像の照度分布を示すグラフ（ブラック）
【図１０】（ａ）第３実施形態における表側画像の濃度と裏側画像の濃度の関係を示すグラフ（シアン）、（ｂ）第３実施形態における表側画像の濃度と裏側画像の濃度の関係を示すグラフ（マゼンダ）、（ｃ）第３実施形態における表側画像の濃度と裏側画像の濃度の関係を示すグラフ（イエロー）、（ｄ）第３実施形態における表側画像の濃度と裏側画像の濃度の関係を示すグラフ（ブラック）
【図１１】（ａ）第３実施形態における表側画像の照度分布を示すグラフ（シアン）、（ｂ）第３実施形態における裏側画像の照度分布を示すグラフ（シアン）
【図１２】（ａ）第３実施形態における表側画像の照度分布を示すグラフ（マゼンダ）、（ｂ）第３実施形態における裏側画像の照度分布を示すグラフ（マゼンダ）
【図１３】（ａ）第３実施形態における表側画像の照度分布を示すグラフ（イエロー）、（ｂ）第３実施形態における裏側画像の照度分布を示すグラフ（イエロー）
【図１４】（ａ）第２実施形態における表側画像の照度分布を示すグラフ（ブラック）、（ｂ）第２実施形態における裏側画像の照度分布を示すグラフ（ブラック）
【図１５】シート状基材の透過度と調整値の関係を示す表
【図１６】別実施形態における表側画像の濃度と裏側画像の濃度の関係を示すグラフ
【図１７】（ａ）別実施形態における表側画像の照度分布を示すグラフ、（ｂ）別実施形態における裏側画像の照度分布を示すグラフ
【発明を実施するための形態】
【００６４】
〔第１実施形態〕
図１は、広告パネル等に用いられる反射光・透過光用の画像シート１の層構成を示し、この画像シート１は、表側からの光が適切に反射し且つ裏側からの光が適切に透過する適当な反射性と透過性を有するものに構成された半透明色又は乳白色のシート状基材２と、該シート状基材２の表側に形成された表側画像３と、該シート状基材２の裏側に形成された裏側画像４とから構成されている。
【００６５】
前記シート状基材２は、ウレタン系樹脂層（樹脂材料層の一例）を主要構成とし、酸化チタンとシリカを含むアクリル系樹脂などで表側及び裏側を適宜にコーティングして構成されている。
【００６６】
前記表側画像３は、所謂インクジェット式のプリンタ装置Ｐ（図４参照）によりプリントされたインク層から構成されている。また、前記裏側画像４は、前記表側画像３を表裏反転した内容でシート状基材２を挟んで表側画像３に重なる状態でプリンタ装置Ｐによりプリントされたインク層から構成されている。
【００６７】
そして、この画像シート１では、図２、図３に示すように、日中の太陽光による反射光と夜間のバックライトによる透過光の両方において自然で鮮明な好適な画像を映し出し得るように、裏側画像４の濃度分布を、表側画像３の濃度分布を濃度低減側への調整基準に沿って調整したものにしてある。換言すれば、表側画像３の濃度に対して裏側画像４の濃度を調整してある。
【００６８】
なお、図２は表側画像３の濃度と裏側画像４の濃度の関係を示したグラフであり、図３は表裏の各画像３、４の照度分布（便宜上、濃度分布に実質的に対応した照度分布を計測した）を示したグラフである。
【００６９】
前記裏側画像４の濃度調整について詳述すると、図２、図３に示すように、裏側画像４の濃度分布は、表側画像３の濃度分布中における設定濃度α（例えば８０）を超える高濃度部分Ｎ１（すなわち、図２中の仮想線で示した濃度α〜濃度１００（％）の部分、図３（ａ）中の照度β〜照度１００（％）の部分）を一律に設定濃度α（設定濃度α又はそれに近い濃度の一例）に低減したものにしてある。
【００７０】
つまり、この画像シート１は、裏側画像４において、透過光による使用態様で発色に与える加算効果が大きく且つ全体のコントラストに与える影響の大きな高濃度部分の濃度を低減することで、透過光による使用態様でコントラストが強くなるのを効果的に抑止するようにしてある。
【００７１】
また、裏側画像４の濃度分布を、表側画像３における高濃度部分Ｎ１を設定濃度αに一律に低減したシンプルな内容とすることで、裏側画像４の濃度調整を容易に行えるようにしてある。
【００７２】
さらに、この画像シート１は、裏側画像４の濃度調整を一層容易に行えるように、裏側画像４の濃度分布を、表側画像３の濃度分布中の該高濃度部分Ｎ１以外の部分Ｎ２（図２中の濃度０〜濃度α（％）の部分、図３（ａ）中の照度０〜照度β（％）の部分）を表側画像３と同一の濃度にしたものにしてある。
【００７３】
上述の如く構成された画像シート１は、例えば、以下のような方法で形成することができる。
【００７４】
まず、図４（ａ）に示すように、画像処理が可能な市販の画像ソフトを備えたコンピュータ装置Ｃから画像データを転送するなどにより、インクジェット方式のプリンタ装置Ｐにより該シート状基材２の表側に表側画像３をプリントする。
【００７５】
次に、図４（ｂ）に示すように、表側画像３が形成されたシート状基材２の複数箇所を市販の濃度計Ｔで計測して裏側画像４の上限濃度となる前記設定濃度αを決定する。
【００７６】
本例では、前記表側画像３の見掛け上の高濃度部分の一箇所又は複数箇所、及び、見かけ上の低濃度部分の一箇所又は複数箇所、並びに、これらの高濃度部分と低濃度部分の中間濃度部分の一箇所又は複数箇所の濃度を濃度計Ｎで計測し、これらの計測結果に基づいて実情に即して前記設定濃度αを決定する。
【００７７】
そして、プリンタ装置Ｐのプリント濃度の上限設定（或いは、コンピュータ装置Ｃでの画像ソフトによる画像データの処理）などにより、裏側画像４の濃度分布を、表側画像３の濃度分布中における設定濃度αを超える高濃度部分Ｎ１を設定濃度αに置換し、且つ、表側画像３の濃度分布中における高濃度部分Ｎ１以外の部分Ｎ２は表側画像３と同一濃度とする状態で、前記プリンタ装置Ｐにより裏側画像４をシート状基材２の裏側にプリントする。
【００７８】
〔第２実施形態〕
前述の第１実施形態では、前記画像シート１の裏側画像４の濃度分布を一律の調整基準に沿って調整する場合を例に示したが、裏側画像４の濃度分布を設定色区分別の調整基準に沿って調整してもよい。
【００７９】
図５は、第２実施形態の画像シート１における設定色区分別の表側画像３の濃度と裏側画像４の濃度の関係を示したグラフであり、図６〜図９は、第２実施形態の画像シート１の表裏の各画像３、４の設定色区分別の照度分布（便宜上、濃度分布に実質的に対応した照度分布を計測した。）を示したグラフである。
【００８０】
図５〜図９に示すように、この第２実施形態の画像シート１は、裏側画像４の濃度分布を、表側画像３の設定色区分毎の濃度分布中における設定色区分毎の設定濃度αｃ、αｍ、αｙ、αｋを超える設定色区分毎の各高濃度部分Ｎ１ｃ、Ｎ１ｍ、Ｎ１ｙ、Ｎ１ｋを設定色区分毎の各設定濃度αｃ、αｍ、αｙ、αｋ（設定濃度又はそれに近い濃度の一例）に低減したものにしてある。
【００８１】
つまり、この画像シート１は、第１実施形態と同様、裏側画像４において、透過光による使用態様で発色に与える加算効果が大きく且つ全体のコントラストに与える影響の大きな高濃度部分Ｎ１ｃ、Ｎ１ｍ、Ｎ１ｙ、Ｎ１ｋの濃度を低減することで、透過光による使用態様でコントラストが強くなるのを効果的に抑止する。
【００８２】
前記設定色区分は、本例では、ＣＭＹＫ色空間の表現色毎で、且つ、インク色毎である「シアン」（図５（ａ）、図６参照）、「マゼンダ」（図５（ｂ）、図７参照）、「イエロー」（図５（ｃ）、図８参照）、「キープレート（本例ではブラック）」（図５（ｄ）、図９参照）の４つの色区分（複数の色区分の一例）にしてある。
【００８３】
そして、本例では、設定色区分「シアン」の設定濃度αｃを９０（％）、設定色区分「マゼンダ」の設定濃度αｍを８５（％）、設定色区分「イエロー」の設定濃度αｙを９５（％）、設定色区分「ブラック」の設定濃度αｋを８０（％）に設定してある。
【００８４】
つまり、この画像シート１は、設定色区分を、画像処理装置や印刷装置の処理方式に多く採用され、且つ、印刷色のインク色に多く採用されているＣＭＹＫ各色別の色区分とすることで、設定色区分毎に濃度を低減させる調整方式を採りながらも裏側画像４の濃度調整を容易に行い得るようにしてある。
【００８５】
さらに、この画像シート１は、裏側画像４の濃度調整を一層容易に行えるように、裏側画像４の濃度分布を、表側画像３の４つの設定色区分毎の濃度分布中における高濃度部分Ｎ１ｃ、Ｎ１ｍ、Ｎ１ｙ、Ｎ１ｋ以外の部分Ｎ２ｃ、Ｎ２ｍ、Ｎ２ｙ、Ｎ２ｋを表側画像３と同一の濃度にしたものにしてある。
【００８６】
なお、Ｎ２ｃは、図５（ａ）中の濃度０〜濃度αｃ（％）の部分であり、且つ、図６（ｂ）中の照度０〜照度βｃ（％）の部分である。Ｎ２ｍは、図５（ｂ）中の濃度０〜濃度αｍ（％）の部分であり、且つ、図７（ｂ）中の照度０〜照度βｍ（％）の部分である。
【００８７】
また、Ｎ２ｙは、図５（ｃ）中の濃度０〜濃度αｙ（％）の部分であり、且つ、図８（ｂ）中の照度０〜照度βｙ（％）の部分である。Ｎ２ｋは、図５（ｄ）中の濃度０〜濃度αｋ（％）の部分であり、且つ、図９（ｂ）中の照度０〜照度βｋ（％）の部分である。
【００８８】
このように構成された画像シート１は、プリンタ装置Ｐのプリント濃度の上限設定（或いは、コンピュータ装置Ｃでの画像ソフトによる画像データの処理）などにより、裏側画像４の濃度分布を、表側画像３の設定色区分毎の濃度分布中における各設定濃度（αｃ、αｍ、αｙ、αｋ）を超える各高濃度部分（Ｎ１ｃ、Ｎ１ｍ、Ｎ１ｙ、Ｎ１ｋ）を各設定濃度（αｃ、αｍ、αｙ、αｋ）に置換し、且つ、表側画像３の設定色区分毎の濃度分布中における各高濃度部分（Ｎ１ｃ、Ｎ１ｍ、Ｎ１ｙ、Ｎ１ｋ）以外の部分（Ｎ２ｃ、Ｎ２ｍ、Ｎ２ｙ、Ｎ２ｋ）は表側画像３と同一濃度とする状態で、前述の第１実施形態で説明したプリンタ装置Ｐにより裏側画像４をシート状基材２の裏側にプリントすることで形成することができる。
【００８９】
なお、画像シート１のその他の構成、及び、画像シート１の形成方法のその他の構成は、前述の第１実施形態で説明した内容と同一であるから、その説明は省略する。
【００９０】
〔第３実施形態〕
前述の第２実施形態では、前記画像シート１の裏側画像４の濃度分布を設定色区分毎の調整基準で調整する例として、裏側画像４の濃度分布を、表側画像３の設定色区分毎の濃度分布中における設定色区分毎の各設定濃度を超える設定色区分毎の各高濃度部分を設定色区分毎の各設定濃度に低減する場合を例に示したが、これに限るものではない。
【００９１】
図１０は、設定色区分別の表側画像３の濃度と裏側画像４の濃度の関係を示したグラフであり、図１１〜図１４は、第２実施形態の画像シート１の表裏の各画像３、４の設定色区分別の照度分布（便宜上、濃度分布に実質的に対応した照度分布を計測した）を示したグラフである。
【００９２】
図１０〜図１４に示すように、この第３実施形態の画像シート１は、裏側画像４の濃度分布を、表側画像３の設定色区分毎の濃度分布中における各濃度を設定色区分毎の各設定圧縮率γｃ、γｍ、γｙ、γｋで圧縮した濃度分布にしてある。換言すれば、裏側画像４の濃度分布を、表側画像３の設定色区分毎の濃度分布を設定色区分毎の各設定圧縮率γｃ、γｍ、γｙ、γｋで濃度低減側に圧縮した濃度分布にしてある。
【００９３】
つまり、この画像シート１は、裏側画像４において、透過光による使用態様で発色に与える加算効果が大きく且つ全体のコントラストに与える影響の大きな高濃度側の濃度ほど量的に多く低減することで、透過光による使用態様でコントラストが強くなるのを効果的に抑止する。
【００９４】
前記設定色区分は、前述した第２実施形態と同様、ＣＭＹＫ色空間の表現色毎で、且つ、インク色毎である「シアン」（図１０（ａ）、図１１参照）、「マゼンダ」（図１０（ｂ）、図１２参照）、「イエロー」（図１０（ｃ）、図１３参照）、「キープレート（本例ではブラック）」（図１０（ｄ）、図１４参照）の４つの色区分（複数の色区分の一例）にしてある。
【００９５】
そして、本例では、設定色区分「シアン」の設定圧縮率γｃを９０（％）、設定色区分「マゼンダ」の設定圧縮率γｍを８５（％）、設定色区分「イエロー」の設定圧縮率γｙを９５（％）とし、設定色区分「ブラック」の設定圧縮率γｋを８０（％）に設定してある。
【００９６】
つまり、この画像シート１は、前記設定色区分を、画像処理装置や印刷装置の処理方式に多く採用され、且つ、印刷色のインク色に多く採用されているＣＭＹＫ各色別の色区分とすることで、設定色区分毎に濃度を低減させる調整方式を採りながらも裏側画像４の濃度調整を容易に行い得るようにしてある。
【００９７】
このように構成された画像シート１は、プリンタ装置Ｐのプリント濃度の設定（或いは、コンピュータ装置Ｃでの画像ソフトによる画像データの処理）などにより、裏側画像４の濃度分布を、表側画像３の設定色区分毎の濃度分布中の各濃度を設定色区分毎の各圧縮率（γｃ、γｍ、γｙ、γｋ）で圧縮した濃度分布とする状態で、前述の第１実施形態で説明したプリンタ装置Ｐにより裏側画像４をシート状基材２の裏側にプリントすることで形成することができる。
【００９８】
なお、画像シート１のその他の構成、及び、画像シート１の形成方法のその他の構成は、前述の第１実施形態で説明した内容と同一であるから、その説明は省略する。
【００９９】
［別実施形態］
（１）前述の各実施形態の改良として、シート状基材２の透過度（％）に応じて裏側画像４の濃度分布の調整値（前述の各実施形態で説明した設定濃度や設定圧縮率）を変更するようにしてもよい。
【０１００】
つまり、透過光による使用態様において、シート状基材２の透過度が高いほど裏側画像４による増色効果が大きくなり、逆に、シート状基材２の透過度が低いほど裏側画像による増色効果が小さくなるため、シート状基材２の透過度が高いほど裏側画像４の濃度を低くする側に調整値を変更し、シート状基材２の透過度が低いほど裏側画像４の濃度を高くする側に調整値を変更するのが、透過光による使用態様において鮮明な画像を得るのに好ましい。
【０１０１】
例えば、図１５に示すように、種別の異なるシート状基材２Ａ〜２Ｄのうち、透過度が最も高い値（８３．７）のシート状基材２Ｂを使用する場合は、最も濃度を低くする側の設定濃度α２（例えば６５）とし、透過度が次に高い値（７２．４）のシート状基材２Ａを使用する場合は、設定濃度α２よりも濃度を低くする側の設定濃度α１（例えば８０）とするとよい。
【０１０２】
一方、透過度が最も低い値（４０．２）のシート状基材２Ｄを使用する場合は、最も濃度を高くする側の設定濃度α４（例えば９５）とし、透過度が次に低い値（４２．２）のシート状基材２Ｃを使用する場合は、設定濃度α４よりも濃度を低くする側で、且つ、設定濃度α１やα２よりも濃度を高くする側の設定濃度α３（例えば９０）とするとよい。なお、図１５中の透過度は、照度計による照度の計測値から算出した数値である。
【０１０３】
（２）前述の第３実施形態では、裏側画像４の濃度分布を、表側画像３の設定色区分毎の濃度分布中における各濃度を設定色区分毎の各設定圧縮率γｃ、γｍ、γｙ、γｋで圧縮した濃度分布にする場合を例に示したが、図１６に示すように、裏側画像４の濃度分布を、表側画像３の濃度分布中における各濃度を単一の設定圧縮率γで圧縮した濃度分布にしてもよい。
【０１０４】
（３）前述の第１、第２実施形態では、前記裏側画像４の濃度分布として、表側画像３の濃度分布中における高濃度部分以外の部分は表側画像３と同一濃度としたものを例に示したが、表側画像３の濃度分布中における高濃度部分以外の部分は必ずしも表側画像３と同一濃度にしなくともよい。
【０１０５】
（４）前述の各実施形態では、表裏の各画像３、４を１層のインク層から構成する場合を例に示したが、表裏の各画像３、４を複数層のインク層から構成してもよい。
【０１０６】
（５）前述の第２、第３実施形態では、前記設定色区分をＣＭＹＫ各色別の色区分とする場合を例に示したが、ＲＧＢ各色別、所定明度範囲別の色区分などの各種の色区分を採用することができる。
【産業上の利用可能性】
【０１０７】
本発明は、公告パネルに限らず夜間と日中の両方で発色させる必要のある種々の物に好適に適用することができる。
【符号の説明】
【０１０８】
１                              反射光・透過光用画像シート
２、２Ａ、２Ｂ、２Ｃ、２Ｄ      シート状基材
３                              表側画像
４                              裏側画像
Ｎ１                            高濃度部分
Ｎ１ｃ、Ｎ１ｍ、Ｎ１ｙ、Ｎ１ｋ  高濃度部分（設定色区分）
Ｎ２                            高濃度部分以外の部分
Ｎ２ｃ、Ｎ２ｍ、Ｎ２ｙ、Ｎ２ｋ  高濃度部分以外の部分（設定色区分）
α                              設定濃度
αｃ、αｍ、αｙ、αｋ          設定濃度（設定色区分）
γ                              設定圧縮率（設定色区分）
γｃ、γｍ、γｙ、γｋ          設定圧縮率（設定色区分）
Ｐ                              プリント装置
Ｔ                              濃度計
【図１】
0005995856.tif 000002
【図２】
0005995856.tif 000003
【図３】
0005995856.tif 000004
【図４】
0005995856.tif 000005
【図５】
0005995856.tif 000006
【図６】
0005995856.tif 000007
【図７】
0005995856.tif 000008
【図８】
0005995856.tif 000009
【図９】
0005995856.tif 000010
【図１０】
0005995856.tif 000011
【図１１】
0005995856.tif 000012
【図１２】
0005995856.tif 000013
【図１３】
0005995856.tif 000014
【図１４】
0005995856.tif 000015
【図１５】
0005995856.tif 000016
【図１６】
0005995856.tif 000017
【図１７】
0005995856.tif 000018